(57)【要約】  本出願は、少なくとも第１の電極対（２、３）と、一体型ユニット（１２）とが配置される少なくとも１つの素地（５０）を含む可撓性美容物品であって、一体型ユニット（１２）は、少なくとも１つの電源（１、１１）と、第１の電極対（２、３）に対向する、その外面（３３）の少なくとも一部分上における再配置可能な接着性材料（５）とを含む、可撓性美容物品に関する。
2019505339.tif 000002
【特許請求の範囲】
【請求項１】
柔軟な美容物品であって、第１の電極（２）及び第１の対電極（３）を含む少なくとも１つの第１の電極対（２、３）と、少なくとも１つの電力源（１、１１）を含むユニタリブロック（１２）とが配置される少なくとも１つの担体（５０）を含み、前記ユニタリブロック（１２）は、ケーブルを用いずに前記第１の電極対（２、３）に接続され、前記電力源（１、１１）は、前記第１の電極（２）に接続される第１の端子（１０２）と、前記第１の対電極（３）に接続される第２の端子（１１３）とを含む、柔軟な美容物品において、前記ユニタリブロック（１２）は、その外面（３３）の少なくとも１つのセグメント上において、再配置可能な接着性材料（５）を含み、前記セグメントは、前記第１の電極対（２、３）に対向して配置されることを特徴とする、柔軟な美容物品。
【請求項２】
前記再配置可能な接着性材料（５）は、前記第１の端子（１０２）及び前記第２の端子（１１３）を少なくとも部分的に取り囲む、請求項１に記載の物品。
【請求項３】
前記再配置可能な接着性材料（５）は、粘弾性シリコーンゲルである、請求項１又は２に記載の物品。
【請求項４】
前記再配置可能な接着性材料（５）は、１００分の１ミリメートル〜５ミリメートルの厚さの層を形成する、請求項１〜３の何れか一項に記載の物品。
【請求項５】
前記ユニタリブロック（１２）は、少なくとも部分的に柔軟である、請求項１〜４の何れか一項に記載の物品。
【請求項６】
前記電力源（１、１１）は、場合により１Ｖ以上の電位差を提供する、請求項１〜５の何れか一項に記載の物品。
【請求項７】
前記電力源（１、１１）は、直流電圧源である、請求項１〜６の何れか一項に記載の物品。
【請求項８】
前記電力源（１、１１）は、１つ若しくは複数のボタン電池又は１つ若しくは複数のダブルボタン電池を含む、請求項１〜７の何れか一項に記載の物品。
【請求項９】
前記担体（５０）は、延長部分（４０）を含む、請求項１〜８の何れか一項に記載の物品。
【請求項１０】
前記担体（５０）は、組成物で含浸される、請求項１〜９の何れか一項に記載の物品。
【請求項１１】
それぞれ組成物を含む複数のコンパートメントを含む、請求項１〜１０の何れか一項に記載の物品。
【請求項１２】
美容方法であって、
−  第１の美容処置を行うために、第１の物品を体のゾーン、特に顔の上の適所に置くステップと、
−  適所に置かれた前記第１の物品内に第１の電流の流れを生じさせるステップと、
−  ユニタリブロック（１２）を除去するステップと、
−  第２の美容処置を行うために、前記第１の物品又は第２の物品の何れかの一部を形成する第２の電極対（２、３）において、前記除去されたユニタリブロック（１２）を再配置するステップと、
−  適所に置かれた前記第１の物品又は前記第２の物品内に第２の電流の流れを生じさせるステップと
を含む、美容方法。
【請求項１３】
前記第１の美容処置は、前記第２の美容処置と異なる、請求項１２に記載の美容方法。
【請求項１４】
前記第１の美容処置及び前記第２の美容処置は、メーキャップ処置、ケア処置、清浄処置、又は抽出処置から選択される、請求項１２又は１３に記載の美容方法。
【発明の詳細な説明】
【技術分野】
【０００１】
本発明は、人のケラチン物質を電流で美容的に処置するための物品に関する。
【背景技術】
【０００２】
本発明に関連して、「物品」という用語は、人のケラチン物質に適用可能なマスク、パッチ、パッド、帯状のもの、又は環状のものを意味すると理解される。
【０００３】
「化粧品」という表現は、例えば１９９３年６月１４日付けの理事会指令（Ｃｏｕｎｃｉｌ  Ｄｉｒｅｃｔｉｖｅ）９３／３５／ＥＥＣで定義されたあらゆる組成物を意味すると理解される。
【０００４】
本明細書を通して、「１つを含む」という表現は、「少なくとも１つを含む」と同義であると解釈されなければならない。
【０００５】
化粧品組成物を塗布するためのパッシブマスクが知られている。例えば、（特許文献１）は、顔用ローションをしみ込ませたセルロースマスクを記載している。
【０００６】
しかしながら、パッシブ技術を用いて投与される分子の量は少ないままである。この側面を改善するために、電源に接続された電極を組み入れたアクティブマスク又はパッチが開発されている。
【０００７】
従って、イオン導入デバイス（非特許文献１）を用いて人のケラチン物質を処置することが知られている。
【０００８】
イオン導入は、電気刺激により、活性薬剤が非侵襲的に肌を通過して拡散することを可能にする。投与される電流は、大きさ及び方向（陽極又は陰極）に関して調節可能であり得る。イオン導入による分子の経皮的拡散は、２つの原理：電気反発及び電気浸透に基づく。
【０００９】
電気反発は、同じ符号の電荷の反発によるイオン化分子の移動である。従って、物質が正に帯電されると、それは陽極（＋）で肌を通過して拡散する。
【００１０】
電気浸透は、イオン導入中の陽極から陰極への水の流れに関係したエントレインメントによる分子の移動（ただし、分子はイオン化されない）である。この移動は、特に肌の負電荷によるものである。電流の影響下では、水又は溶媒は、それらの移動中に溶解物質を同伴する。
【００１１】
イオン導入技術は、薬又は化粧品の活性薬剤の浸透を増加させるためによく使用される。製剤関連の化学的要因及び肌関連の生物学的要因は別として、浸透性能は、電流の大きさ及び印加時間に依存する。
【００１２】
イオン導入の効果を増大させるには、肌を通過する活性薬剤の浸透を最適化する特殊なデバイスを開発する必要がある。
【００１３】
イオン導入パッチ又はマスクを使用することが知られている。
【００１４】
例えば、（特許文献２）又は（特許文献３）は、少なくとも１つの電極対を含むマスクを記載している。電極は、可鍛性の担体上に配置される。それらは、ケーシング内に位置する担体の外部の発電機によって給電される。物品が、選択された体のゾーン上の適所に設置される前に、化粧品組成物がこのゾーンに塗布される。本物品は、次に顔の上の適所に設置され、電流が電極に供給される。処置の継続期間は１５分〜１時間で様々である。
【００１５】
イオン導入物品は、マスク上に配置された電力源によって給電され得る。このような構成は、例えば（特許文献４）に記載されている。マスクの電力源の組み込みは、外部の電源にマスクを接続する電線の使用の回避を可能にし得る。その場合、マスクの使用の快適さが向上し、ユーザにとって使用がより簡単になる。
【００１６】
現在、電力源は、取外し不可能にマスクに固着される。マスク毎に１つの電力源を備えることが必要である。従って、マスクが使用され、且つ廃棄されなければならない場合、電力源は、多くの場合、依然として使用可能であるにもかかわらず、マスクと同時に廃棄される。同様に、ユーザが複数のマスクを所有する場合、単一のバッテリが全てのマスクに給電するのに十分であるのに対して、ユーザは、マスクと同数のバッテリを所有する。ここでもまた同様に、バッテリがマスク上に配置されると、処置が定められる。消費者は、処置を変更するために、例えば、スキンケア処置から肌清浄処置に進むためにバッテリの極性を逆にすることができない。これを行うには、消費者は、異なって配置されたバッテリを備えた２つのマスクを必要とする。
【００１７】
イオン導入物品のバッテリの廃棄物は、現在、かなり多量である。
【００１８】
地球の尊重及び持続的発展の新しい要件を満たすイオン導入物品を提供する必要がある。
【００１９】
より環境保護的であり、場合により生分解可能であるそのような物品を提供する必要がある。
【００２０】
安価であり且つ製造が簡単であるそのような物品を提供する必要がある。
【００２１】
さらに、この物品は、扱いが簡単でなければならない。
【先行技術文献】
【特許文献】
【００２２】
【特許文献１】米国特許第６７０２７９２号明細書
【特許文献２】米国特許第６１５７８５８号明細書
【特許文献３】米国特許第７０６９０８８号明細書
【特許文献４】仏国特許第２９６０７８８号明細書
【非特許文献】
【００２３】
【非特許文献１】Ｊ．Ｓｉｎｇｈ，Ｋ．Ｓ．Ｂｈａｔｉａ，ｔｏｐｉｃａｌ  ｉｏｎｔｏｐｈｏｒｅｔｉｃ  ｄｒｕｇ  ｄｅｌｉｖｅｒｙ：ｐａｔｈｗａｙｓ，ｐｒｉｎｃｉｐｌｅｓ，ｆａｃｔｏｒｓ  ａｎｄ  ｓｋｉｎ  ｉｒｒｉｔａｔｉｏｎ，Ｍｅｄ．Ｒｅｓ．Ｒｅｖ．，ｖｏｌ  １６，Ｎｏ．３，２８５−２９６，１９９６
【発明の概要】
【発明が解決しようとする課題】
【００２４】
本発明は、上述の要件の全て又は一部を解決すること、及び電流を用いて人のケラチン物質を美容的に処置するための物品をさらに向上させることを目的とする。
【課題を解決するための手段】
【００２５】
本発明の１つの主題は、柔軟な美容物品であって、第１の電極及び第１の対電極を含む少なくとも１つの第１の電極対と、少なくとも１つの電力源を含むユニタリブロックとが配置される少なくとも１つの担体を含み、ユニタリブロックは、ケーブルを用いずに第１の電極対に接続され、電力源は、第１の電極に接続される第１の端子と、第１の対電極に接続される第２の端子とを含み、ユニタリブロックは、その外面の少なくとも１つのセグメント上において、再配置可能な接着性材料を含み、前記セグメントは、第１の電極対に対向して配置される、柔軟な美容物品である。
【００２６】
ユニタリブロック上の再配置可能な接着剤の存在により、それは、本発明による第１の物品の第１の電極対から取り外され得、且つ
−  同じ第１の物品上において、
○端子を反転させることなく第１の電極対上において、
○端子を反転させながら同じ第１の電極対上において、
○第２の電極対上において、又は
−  本発明による第２の物品の第２の電極対上において
の何れかで再配置され得る。
【００２７】
従って、本発明による物品は、同じマスクに対して複数回、又は時には１つのマスクに対して、時には１つ又は複数の他のマスクに対しての何れかで使用され得るマルチユースユニタリブロックを含む。
【００２８】
本発明による物品は、廃棄される電力源（特にバッテリ）の量を減少させることを可能にする点で環境保護的である。それは、現代のエコロジー及び持続的発展の要件と一致する。
【００２９】
ユニタリブロックの扱いは、消費者にとって簡単である。
【００３０】
節約がなされる。
【００３１】
さらに、再配置可能な接着剤によりバッテリがマスクから取り外されると、バッテリの放電が減少する。バッテリがより長く使用され得る。
【００３２】
本発明は、
−  第１の美容処置を行うために、第１の物品を体のゾーン、特に顔の上の適所に置くステップと、
−  適所に置かれた前記第１の物品内に第１の電流の流れを生じさせるステップと、
−  ユニタリブロックを除去するステップと、
−  第２の美容処置を行うために、第１の物品又は第２の物品の何れかの一部を形成する第２の電極対において、除去されたユニタリブロックを再配置するステップと、
−  適所に置かれた前記第１の物品又は前記第２の物品内に第２の電流の流れを生じさせるステップと
を含むステップを含む、美容方法にも関する。
【００３３】
本発明による方法の第１の実施形態によれば、第１の美容処置は、第２の美容処置と異なる。
【００３４】
本発明による方法の第２の実施形態によれば、第１の美容処置は、第２の美容処置と同じである。
【００３５】
好ましくは、第１の美容処置及び第２の美容処置は、メーキャップ処置、ケア処置、清浄処置、又は抽出処置から選択される。
【００３６】
一般的定義
「ケーブルなしで接続される」は、電気ケーブル又は電線なしで接続されることを意味する。
【００３７】
「電極」は、導電性担体上に配置される。
【００３８】
本発明によれば、「電極」という用語は、正に帯電された電極（陽極）又は負に帯電された電極（陰極）を意味すると理解される。この電極は、一般に、ケラチン物質と直接接触するように物品の外面上に配置される。しかしながら、電極は、物品の外壁内に挿入され得る。この場合、それは、ケラチン物質と直接接触しないが、化粧品組成物及びその担体を介してケラチン物質と接触する。一般に、電極は、処置されるゾーンと接触する。
【００３９】
例えば、電極は、例えば球体若しくはパッド、又は導電性インクで印刷された柔軟なフィルムの形態をとり得る。電極は、共に且つ電源の一方の極性に接続された導電性エリアのアレイを形成し得る。
【００４０】
「対電極」という表現は、負に帯電された電極（陰極）又は正に帯電された電極（陽極）を意味すると理解される。対電極の電荷は、電極のものと逆である。電極の極性は、変更され得る。電極は、処置されるゾーンに必ずしも配置されるとは限らない対電極と異なり、一般にアクティブである。
【００４１】
「電極対」は、電極と、対電極とで形成される。
【００４２】
「電力供給システム」という表現は、電極と対電極との間に電位差を生じさせることが可能な電気アセンブリを意味すると理解される。
【００４３】
「コンパートメント」という用語は、一般に、コンパートメント毎に異なる化粧品組成物を収容するために物品に作られた区画を意味すると理解される。各コンパートメントは、少なくとも１つの電極対を含む。複数のコンパートメントを含む物品例は、国際公開第２０１５／１１８２４６号パンフレットに記載されている。
【００４４】
「再配置可能な接着剤」は、ユニタリブロックが第１の物品の第１の電極対に配置される場合、ユニタリブロックが処置全体を通して適所に保持され、その後、損傷を受けることなく又は第１の電極対を損傷することなく除去され得るのに十分な粘着性を有する接着剤である。本発明に従って使用可能である再配置可能な接着剤の一例は、アクリレート、メタクリレート、又はシリコン含有基を含むＰＳＡ（感圧接着剤）である。ＰＳＡは、例えば３Ｍ社に属する国際公開第１９９４０００５２５号パンフレット又は国際公開第２００９０３５７６５号パンフレットに記載されている。
【００４５】
好ましくは、再配置可能な接着剤は、Ｐｏｌｙｋｅｎ（商標）プローブタックテスタを用いて、標準ＡＳＴＭ  Ｄ２９７９に従って測定された少なくとも２００ｇのタック（又はタック能力）を有する。
【００４６】
さらにより好ましくは、再配置可能な接着剤は、標準ＡＳＴＭ  Ｄ  １０００に従って測定された少なくとも１００Ｎ／ｍの剥離力を有する。
【００４７】
「柔軟な物品」は、可撓性であり且つ変形可能な物品である。好ましくは、それは、２５未満、好ましくは１〜２０、より好ましくは１０〜１５のショアＡ硬度を有する。
【００４８】
本発明によるアセンブリは、単独で又は任意の技術的に可能な組み合わせで実施される以下の特徴の１つ又は複数を含み得る：
−  第１の端子及び第２の端子を少なくとも部分的に取り囲む再配置可能な接着性材料。取り付けが改良され、及び電流がより均一である。
−  再配置可能な接着性材料は、粘弾性シリコーンゲルである。この材料は、効果的である。シリコーン以外の他の材料が使用され得る。
−  再配置可能材料は、１００分の１ミリメートル〜５ミリメートルの厚さの層を形成する。この厚さは、ユニタリブロックの良好な保持に最適である。
−  ユニタリブロックは、少なくとも部分的に柔軟である。物品の柔軟性が改善される。
−  電力源は、１Ｖ以上の電位差を提供し得る。この電位範囲は、肌の電気処置に適している。
−  電力源は、直流電圧源である。処置は、より効果的であり且つより高速である。
−  電力源は、１つ若しくは複数のボタン電池又は１つ若しくは複数のダブルボタン電池を含む。ユニタリブロックは、小型であり且つ扱いが簡単である。
−  担体は、延長部分を含む。
−  担体は、組成物で含浸される。
−  物品は、それぞれ組成物を含む複数のコンパートメントを含む。例えば、顔の領域に応じて様々な処置を行うことができる。
【００４９】
電気パラメータ
電力源は、任意のバッテリ又は任意の蓄電池を含み得る。電極間の電位差は、例えば、１．２Ｖ〜２４Ｖ、好ましくは１．２〜１０Ｖである。必要に応じて、電流の通路が点熱を生じさせ得る。
【００５０】
均等な電流密度では、物品は、特に、肌において、好ましくは０．５００ｍＡ／ｃｍ２以下、例えば、０．００１ｍＡ／ｃｍ２〜０．５００ｍＡ／ｃｍ２、例えば０．００１ｍＡ／ｃｍ２〜０．１０ｍＡ／ｃｍ２の電流密度を供給し得る。
【００５１】
電極
電極は、それらが肌と直接接触することを可能にする見掛けの自由表面を有し得る。
【００５２】
少なくとも一方の電極は、例えば、以下を含み得る：
−  複合材料（カーボンマイクロファイバで充填されたプラスチック）、
−  導電性布、
−  導電性不織布
−  導電性にされたポリマー材料、
−  繊維性材料、
−  例えば、中国特許第１０１５３２１９０号明細書に記載される導電性ポリマー繊維、
−  例えば、特開２００９１７９９１５号公報に記載のカーボンファイバ、
−  銀、銅、又は炭素などの導電性充填剤の添加によって導電性にされたシリコーン。このようなシリコーンは、例えば、Ｓａｉｎｔ  Ｇｏｂａｉｎ、Ｐｌａｓｔｉｃｓ  Ｐｅｒｆｏｒｍａｎｃｅ、及びＡｑｕｉｔａｉｎｅ  Ｃａｏｕｔｃｈｏｕｃ  ２０００といった企業によって販売されている、
−  例えば、Ｕｔｅｘｂｅｌ及びＣｏｕｓｉｎ  Ｂｉｏｔｅｃｈといった企業によって販売されている導電性メタルファブリック、
−  例えば、Ｃｏｐｅｍａ及びＲｅｘａｍといった企業によって販売されている炭素含有ビニル、
−  例えば、Ｃｏｐｅｍａ及び３Ｍといった企業によって販売されている電気外科用パッド、
−  例えば、Ｐａｎｉｐｌａｓｔといった企業によって販売されている元来導電性のポリマー。
【００５３】
化粧品組成物
化粧品組成物は、ユーザにより、処置されるゾーン上に直接堆積され得る。
【００５４】
化粧品組成物は、物品に含浸又は分散され得る。
【００５５】
活性成分は、好ましくは帯電される。「帯電される」とは、少なくとも部分的にイオンの形態で存在する任意の活性成分であって、そのイオンが、電界の影響下において組成物内でのそれらの移動を確実にすることが可能である正又は負の何れかの正味電荷を有する、任意の活性成分を意味する。従って、活性薬剤は、電極の引力又は反発を直接受ける。
【００５６】
有利には、化粧品組成物は、ケア用組成物、洗浄用組成物、浄化用組成物、剥離用組成物、落屑用組成物、マッサージ用組成物、痩身用組成物、メーキャップ用組成物、メーキャップ除去用組成物、清浄用組成物、又は美白用組成物の中から選択される。
【００５７】
より有利には、化粧品組成物は、水溶液、オイル、乳液、粉末、又はゲルの形態をとる。
【００５８】
対象の実施形態が何れであっても、物品は、イオン導入及び／又は電気浸透によって肌に作用することができる。
【００５９】
組成物は、物品内に存在する不活性化活性成分（例えば、フリーズドライ形態のもの）を活性化するための組成物を含み得る。この場合、組成物は、帯電された活性成分を欠き得る。組成物は、正及び負に帯電された種を有する溶媒、例えば、イオン水溶液、又は脱イオン水、又はＮａＣｌ溶液を含み得る。
【００６０】
ユーザが活性化組成物（例えば、溶媒）を物品に塗布することも可能である。例えば、ユーザが水道水を塗布し得る一方、水道水は、物品との所与のパッケージング内において提供されない。
【００６１】
物品と活性化組成物とを接触させるために、ユーザは、組成物を物品に注ぎかけ得る。物品は、例えば、その上に組成物が注ぎかけられることを可能にするウォレット又はタブに存在する。変形形態として、ユーザは、組成物を肌に塗布した後にその上に物品を適用し得る。
【００６２】
電気化学反応
一般に、本発明によるマスクを用いて活性成分を投与しようとする場合、前記活性成分は、電極と同じ極性を有する。例えば、ビタミンＡ、酢酸トコフェロールなどの正の電荷／極性の活性成分、又は正の極性／電荷の他の活性成分を含有する化合物が正の極性の電極と関連付けられ得る。
【００６３】
一方で、パルミチン酸レチニル、トコフェロール、マンデル酸、及びアスコルビン酸などの負の電荷／極性の活性成分を含有する化合物が負の極性の電極と関連付けられ得る。
【００６４】
反応は、電気浸透であり得る。
【００６５】
担体
担体は、物品の基材を形成する。
【００６６】
寸法及び構造
担体は、折り畳まれていない状態で、０．５ｃｍ２〜５００ｃｍ２、例えば５０ｃｍ２〜３００ｃｍ２の最大面積を有し得る。
【００６７】
担体は、折り畳まれていない状態で、０．０５ｃｍ〜１ｃｍ、好ましくは０．１ｃｍ〜０．５ｃｍの厚さを有し得る。
【００６８】
担体の材料
有利には、担体は、織布又は不織布材料を含む。従って、担体は、より柔軟である。それは、選択されたゾーンの輪郭により良く適合する。
【００６９】
本発明に関連して、「不織布」とは、個々の繊維又はフィラメントが、ウェブ状の構造において不規則に配置される繊維からなる素地であることを意味する。不織布の繊維は、一般に、機械的作用の影響下において、熱的作用の影響下において、又はバインダの添加によるかの何れかで互いに結合される。
【００７０】
このような不織布は、例えば、標準ＩＳＯ  ９０９２によって定義される。
【００７１】
担体は、閉塞性であり得、且つ水及び／又は空気に対して不透過性のシートを含み得る。担体は、それを閉塞性にするための処置を含み得る。
【００７２】
本発明は、その非限定的な実装形態の以下の説明を読み、及び添付の概略的且つ部分的な図面を観察することでより良く理解されるであろう。
【図面の簡単な説明】
【００７３】
【図１】本発明に従って使用可能なダブルユニタリブロックの斜視正面図を単独で示す。
【図２】図１のブロックの斜視側面図を単独で示し、ボタン電池のみが図の正面に示されている。
【図３】図１のブロックを備えた本発明による物品の実施形態の詳細による軸断面図である。
【図４】本発明による第１のマスクの正面図を示し、前記マスクが図１のブロックを備えている。
【図５】本発明による第２のマスクの正面図を示し、前記マスクが図１のブロックを備えている。
【発明を実施するための形態】
【００７４】
図面では、明瞭さのために様々な要素が必ずしも一定の縮尺で描かれていない。
【００７５】
図１及び図２は、軸Ｙのユニタリブロック１２を示す。
【００７６】
ユニタリブロック１２は、主に、
−  ２つのボタン電池１及び１１によって形成される電力源と、
−  ブロック１２の外面３３のセグメント上に配置される再配置可能な接着性材料５と
を含む。
【００７７】
各バッテリ１及び１１は、平坦である。それは、軸Ｘ（又はＸ’）のドーム形を有し、その底部は、
−  バッテリ１の場合には負極１０６、及び
−  バッテリ１１の場合には負極１１３
を形成する。
【００７８】
軸Ｘ（又はＸ’）に対する底部と反対側のドームの部分は、
−  バッテリ１の場合には正極１０２、及び
−  バッテリ１１の場合には正極１１６
を形成する。
【００７９】
各バッテリ１及び１１は、４〜４０ｍｍの直径と、０．８ｍｍ〜１０ｍｍの高さとを有する。バッテリ１及び１１は、一般的に、それぞれ１Ｖ超、例えば３Ｖの動作電圧を有する。
【００８０】
高放電プラトー及び優れた放電供給特性を有することから、好ましくはリチウムボタン電池が使用される。正又は負の電極の活物質の利用度がかなり向上し、及びバッテリの容量が増加する。
【００８１】
本発明に従って使用可能なボタン電池は、例えば、国際公開第２０１３１０６８２号パンフレット又は国際公開第２０１２０００３０３号パンフレットに記載されている。
【００８２】
ユニタリブロック１２は、バッテリ１及びバッテリ１１をそれぞれ収容することが意図された２つのハウジング３１及び３１１を含む。これらのハウジング３１及び３１１は、再配置可能な接着剤５、例えば、導電性シート６と絶縁シート４との間に挟持されるシリコーンによって描出される。可撓性及び耐久性の保護シート７が導電性シート６に固着される。この保護シート７は、再配置可能な接着剤５に接着する。
【００８３】
図３は、
−  正の電極３と接触するバッテリ１の正極１０２と、
−  導電性シート６と接触するバッテリ１の負極１０６と、
−  導電性シート６と接触するバッテリ１１の正極１１６と、
−  負の電極２と接触するバッテリ１１の負極１１３と
を示す。
【００８４】
可撓性の接着性材料５は、絶縁性である。それは、ボタン電池１の正極１０２と、ボタン電池１１の負極１１３とをシート６から分離する。
【００８５】
絶縁シート４は、例えばポリアミド系、スチレン系、ポリオレフィン系、又はビニル系などの絶縁熱可塑性材料から選択される任意の電気絶縁材料を含み得る。
【００８６】
各電池１及び１１は、例えば３Ｖの電流を送り、それにより全体で合計６Ｖとし、例えば、マスクによる広い面積にわたる処理の効果を認めることを可能にする。
【００８７】
図４では、顔の少なくとも一部を覆うように構成され、且つ顔の上に配置される第１の部分３０、及び顎の下に配置される延長部分４０によって形成される担体５０を含むマスクを示している。
【００８８】
ユニタリブロック１２が第１の部分３０と延長部分４０との間に配置される。
【００８９】
それは、肌のケアを提供するために電極に対して第１の方向に、及び肌を清浄にするために第２の方向に配置され得る。
【００９０】
図５に示されるように、マスクは、額の領域における図１のユニタリブロック１２と、２つの部分：右側部分４０及び左側部分４１から形成される担体５０とを含み得る。
【００９１】
例えば、
−  右側部分４０の負の電極２をボタン電池１１の（−）極に、及び
−  左側部分４１の正の電極３をボタン電池１の（＋）極に
接続することが可能である。
【００９２】
ブロック１２が再配置可能であるため、処置の種類を変更するために電極を切り換えることも可能である。単にユニタリブロック１２を反転させることにより、処置は、スキンケア処置から肌清浄処置に変更される。
【００９３】
マスクが２つに分割されるため、顔に印加される電流が増加し、処置の効果が向上する。
【００９４】
本発明は、上記の例に限定されない。
【００９５】
説明した例の実施形態の詳細は、説明されていない変形形態の範囲内で組み合わされ得る。特に、電極の構造及び電極が占有するエリアは異なり得る。ユニタリブロックが再配置可能であるため、電極を切り換えることが可能である。物品は、浸透又は刺激モードで使用され得る。他の種類のバッテリ又は電池が使用され得る。
【図１】
2019505339.tif 000003
【図２】
2019505339.tif 000004
【図３】
2019505339.tif 000005
【図４】
2019505339.tif 000006
【図５】
2019505339.tif 000007
【国際調査報告】
2019505339.tif 000008
2019505339.tif 000009
2019505339.tif 000010
2019505339.tif 000011
2019505339.tif 000012
2019505339.tif 000013